(57)【要約】【課題】本発明の目的は、コンタクト１４の圧入時にハウジング１２の割れが発生することなく、ＦＰＣ若しくはＦＦＣを挿入した時のコジリに対してもコンタクト１４やハウジング１２が変形することなく、安定した保持力を得られるコネクタ１０を提供するこのである。【解決手段】本目的は、接触部２２と固定部２４と接続部２６とを備えた所要数のコンタクト１４と、ＦＰＣ等が挿入される嵌合口１８を有するとともにコンタクト１４が圧入されるハウジング１２とを備えたコネクタ１０において、コンタクト１４の固定部２４は圧入部２８と係合部３０と備え、コンタクト１４がハウジング１２に完全に固定された際に、圧入部２８はハウジング１２の被固定部１６に圧入され、係合部３０は被固定部１６に係止されるようにすることで達成できる。【選択図】  図２
2004172039.tif 000002
【特許請求の範囲】
【請求項１】
フレキシブルプリント基板（ＦＰＣ）若しくはフレキシブルフラットケーブル（ＦＦＣ）と嵌合するコネクタであって、前記フレキシブルプリント基板（ＦＰＣ）若しくは前記フレキシブルフラットケーブル（ＦＦＣ）と接触する接触部とハウジングに固定される固定部と基板等に接続する接続部とを備えた所要数のコンタクトと、前記フレキシブルプリント基板（ＦＰＣ）若しくは前記フレキシブルフラットケーブル（ＦＦＣ）が挿入される嵌合口を有するとともに前記コンタクトが圧入されるハウジングとを備えたコネクタにおいて、
前記コンタクトの固定部は圧入部と係合部と備え、前記コンタクトが前記ハウジングに完全に固定された際に、前記圧入部は前記ハウジングの被固定部に圧入され、前記係合部は前記被固定部に係止されたことを特徴とするコネクタ。
【請求項２】
前記圧入部と前記係合部を圧入方向から階段状に配置したことを特徴とする請求項１記載のコネクタ。
【請求項３】
前記ハウジングにじん性のある材料を使用したことを特徴とする請求項２記載のコネクタ。
【請求項４】
前記ハウジングの嵌合口を基板と垂直方向に有したことを特徴とする請求項３記載のコネクタ。
【請求項５】
前記圧入部と前記係合部との差を０．０１〜０．０４ｍｍにしたことを特徴とする請求項４記載のコネクタ。
【発明の詳細な説明】
【０００１】
【発明の属する技術分野】
本発明は携帯電話やノートパソコンやデジタルカメラ等の小型電子機器に使用されるコネクタに関するものであり、特にコンタクトの固定構造に関するものである。
【０００２】
【従来の技術】
一般的なコネクタとしては、所要数のコンタクトと該コンタクトが固定されるとともにフレキシブルプリント基板（以下、「ＦＰＣ」という）若しくはフレキシブルフラットケーブル（以下、「ＦＦＣ」という）が挿入される嵌合口を有するハウジングとを備え、該コンタクトは圧入によって固定されている。前記コンタクトはＦＰＣ若しくはＦＦＣとの接触部と前記ハウジングに固定される固定部と基板等に接続される接続とを備え、前記基板接続方向から前記ハウジングへ挿入されている。
以下に示すような３つの文献では、全てがＦＰＣ若しくはＦＦＣをハウジングに挿入した後に、スライダーを挿入するタイプのコネクタで、所謂ゼロ  インサーション  フォース  タイプのものです。
【０００３】
【特許文献１】
実開平５−５０６８８号の要約によると、量産性に優れ、軽薄短小化を実現するフラットケーブル用コネクタを提供することを目的とし、ハウジングに設けた１つの端子収容孔に端子の接触片と位置決め片を挿入して、接触片の突起（図５に示されたような１つの突起）で固定させ、端子の接触片と位置決め片との間にフラットケーブルを挿入し、フラットケーブルと位置決め片との間にスライダを挿入して、スライダでフラットケーブルを押圧して接触片に弾性接触させている。
【０００４】
【特許文献２】
特開平９−６３７１８号の要約によると、スライダーを押し込んでフレキシブル導体を挟着保持するまでの間に、フレキシブル導体が抜けることがあり、この場合、差込み直さなければならなく、完全に抜ければ良いが途中まで抜けると抜けに気付かず接触不良の原因になるといった問題点を解決すべく、請求項１ではフレキシブル導体を仮保持する仮保持部を、ハウジングの内面の一部にフレキシブル導体側に突出するように設け、請求項２では仮保持部を、スライダーのうちコンタクトピンの接点と対向する箇所の一部に設け、請求項３では仮保持部をハウジングの内面の一部とスライダーのうちコンタクトピンの接点と対向する箇所の一部とに設け、請求項４では仮保持部をハウジング又はスライダーの幅方向両側に又は同両側と中央部とに設け、請求項５では仮保持部をハウジング又はスライダーの幅方向全般に所望間隔で複数設けたスライダー付きコネクタが開示されている。該コネクタには、図１（ａ）のように、コンタクトピンをハウジングに圧入した時に、前記ハウジングに食込む２つの食込み突子が設けられている。
【０００５】
【特許文献３】
特開２０００−２００６４１号の要約によると、コンタクトの芯数を大きくした場合でも、コネクタ嵌合の際にスライダの外れがなく、組み立て性も考慮した頑丈なフレキシブルプリントサーキット用コネクタを提供することを目的とし、コネクタでは、スライダの端部から延びたアーム部を備え、外側に付勢する弾性部材として作用し、コネクタ嵌合の際には、スライダのアーム部の内側に形成された第１係合凸部は、ベースインシュレータの第１支持凹部に係合支持され、一方、第２係合凸部は、第２支持凹部に係合支持され、ホールドダウンが、一対の挿入溝に圧入され、一対のアーム部を押圧し、第１係合凸部および第２係合凸部は、ベースインシュレータの支持部を挟み込んで係合支持するフレキシブルプリントサーキット用コネクタが開示されている。該フレキシブルプリントサーキット用コネクタでは、図２のように１つの圧入部が設けられている。
【０００６】
【発明が解決しようとする課題】
上述したようなタイプのコネクタ構造では、１Ｎ／ｐｉｎ以上の保持力が要求された場合に、ＦＰＣ若しくはＦＦＣを前記ハウジングの嵌合口に挿入した際に、前記コンタクトが挫屈してしまい、しいては接続不良の原因になるといった解決すべき課題があった。
また、保持力を上げるためには、前記ハウジングの被固定部と前記コンタクトの固定部との圧入代を大きくすることが考えられるが、圧入代を大きくすると前記コンタクトを圧入する際に、前記ハウジングが割れたり、白化するといった問題点が発生すると同時に、コネクタの軽薄短小化のために前記ハウジングの壁厚が０．３ｍｍ程度と薄く、前記ＦＰＣ若しくは前記ＦＦＣを挿入した時のコジリに対して前記コンタクトや前記ハウジングが変形すると言った問題点も発生した。
【０００７】
本発明は、このような従来の問題点に鑑みてなされたもので、前記コンタクトの圧入時に前記ハウジングの割れが発生することなく、前記ＦＰＣ若しくは前記ＦＦＣを挿入した時のコジリに対しても前記コンタクトや前記ハウジングが変形することなく、安定した保持力を得られるコネクタを提供することである。
【０００８】
【課題を解決するための手段】
上記目的は、前記ＦＰＣ若しくは前記ＦＦＣと嵌合するコネクタであって、前記ＦＰＣ若しくは前記ＦＦＣと接触する接触部とハウジングに固定される固定部と基板等に接続する接続部とを備えた所要数のコンタクトと、前記ＦＰＣ若しくは前記ＦＦＣが挿入される嵌合口を有するとともに前記コンタクトが圧入されるハウジングとを備えたコネクタにおいて、前記コンタクトの固定部は圧入部と係合部と備え、前記コンタクトが前記ハウジングに完全に固定された際に、前記圧入部は前記ハウジングの被固定部に圧入され、前記係合部は前記被固定部に係止されるようにすることで達成できる。
【０００９】
前記圧入部と前記係合部を圧入方向から階段状に配置する。図２のように、圧入方向から前記圧入部と前記係合部という順に配置し、それらを階段状にすることで、確実に保持力を上げることができる。
また、前記ハウジングにじん性のある材料を使用する。このような材料を使用することで、前記コンタクトの係合部が前記ハウジングの被固定部を通った後、復元するので前記コンタクトの圧入部が前記ハウジングの被固定部に確実に圧入される。前記ハウジングの嵌合口を基板と垂直方向に有する。所謂、基板に垂直に固定する垂直タイプのコネクタにする。
さらにまた、前記圧入部と前記係合部との差を０．０１〜０．０４ｍｍにする。０．０１ｍｍ以下では保持力を上げることにはならず、０．０４ｍｍ以上では前記係合部が前記ハウジングの被固定部を通る際に前記ハウジングが割れてしまう。
【００１０】
【作用】
前記コンタクトを前記ハウジングに基板接続部側（嵌合口の反対側）から挿入すると、前記コンタクトの係合部がまず前記ハウジングの被固定部を通った後に、前記コンタクトの圧入部が前記ハウジングの被固定部に圧入されると同時に前記係合部が前記被固定部に係合する。
【００１１】
【発明の実施の形態】
図に基づいて、本発明のコネクタについて説明する。
図１は本発明のコネクタの斜視図である。図２はあるコンタクトの中心で断面したコネクタの断面図である。
本発明のコネクタ１０は、前記ＦＰＣ若しくは前記ＦＦＣと嵌合するためのものであり、前記ＦＰＣ若しくは前記ＦＦＣを前記コンタクトへ接触させる方式としては主に３タイプある。１つ目は前記ＦＰＣ若しくは前記ＦＦＣを直接ハウジングに挿入するもの（所謂、ｎｏｎ−ＺＩＦタイプと称されるもの）と２つ目が前記ＦＰＣ若しくは前記ＦＦＣをハウジングの挿入した後に別部材のスライダーを挿入して前記ＦＰＣ若しくは前記ＦＦＣをコンタクトの押付けるもの（所謂、ＺＩＦ（ゼロ  インサーション  フォース）タイプと称されるもの）と３つ目は前記ＦＰＣ若しくは前記ＦＦＣをハウジングに挿入した後に別部材のスライダーを支持点を支点に回動させて前記ＦＰＣ若しくは前記ＦＦＣをコンタクトに押し付けるもの（所謂、ピアノタッチ方式と称されるものがあるが、以下の実施例ではｎｏｎ−ＺＩＦタイプを例に説明する。
本発明の例示するコネクタ１０は、主にハウジング１２とコンタクト１４とを備えている。
【００１２】
図に基づいて本発明のコネクタ１０の構成部品について説明する。
まず、前記ハウジング１２について説明する。このハウジング１２は電気絶縁性のプラスチックであり、公知技術の射出成形によって製作され、この材質としてはじん性や寸法安定性や加工性やコスト等を考慮して適宜選択するが、一般的にはポリブチレンテレフタレート（ＰＢＴ）やポリアミド（６６ＰＡ、４６ＰＡ、９ＴＰＡ）や液晶ポリマー（ＬＣＰ）やポリカーボネート（ＰＣ）やこれらの合成材料を挙げることができる。前記コンタクトが圧入された後のじん性を考えると、ポリアミド系の樹脂が理想的である。
【００１３】
前記ハウジング１２には、前記ＦＰＣ若しくは前記ＦＦＣが挿入される嵌合口１８が設けられており、また、所要数のコンタクト１４が装着される挿入孔２０が設けられており、前記コンタクト１４の接触部２２が嵌合口１８内に突出するように圧入によって固定されている。所要数の前記コンタクト１４が装着される挿入孔２０は、前記ＦＰＣ若しくは前記ＦＦＣの接触部に対応するように設けられ、その大きさは前記コンタクト１４が固定できればよく、前記コンタクト１４の大きさや前記ハウジング１２の強度を考慮して適宜設計する。前記嵌合口１８の大きさは、前記ＦＰＣ若しくは前記ＦＦＣが挿入でき、かつ、前記コンタクトに前記ＦＰＣ若しくは前記ＦＦＣが接触できる大きさであれば良く、前記ＦＰＣ若しくは前記ＦＦＣの大きさや接触圧によって適宜設計する。
【００１４】
本実施例では図示しないが、一般的に前記ハウジング１２の長手方向両側にはフランジ部が設けられ、該フランジ部には基板等に固定するための固定具が設けられていることが多い。
【００１５】
次に、本発明のポイント部分であるコンタクト１４について説明する。該コンタクト１４は公知技術のプレス加工によって製作され、材質としては、バネ性や挿抜性などを考慮すると、黄銅やベリリウム銅やリン青銅等を挙げることができる。
【００１６】
前記コンタクト１４は、主に前記ＦＰＣ若しくは前記ＦＦＣと接触する接触部２２と前記ハウジング１２に固定する固定部２４（圧入部２８と係合部３０を合わせたもの）と基板等に接続する接続部２６を備えている。前記接触部２２は、前記ＦＰＣ若しくは前記ＦＦＣに接触し易いように凸部形状に突出させている。本実施例では前記コンタクト１４は略Ｕ字形状をしており、前記接触部２２の反対側には補強部３２が設けられている。即ち、前記接触部２２と前記補強部３２とで、前記ＦＰＣ若しくは前記ＦＦＣを挟み込むようになっている。前記固定部２４は前記補強部３２側に設けられている。
【００１７】
前記コンタクト１４の固定部２４は、圧入部２８と係合部３０と備えている。前記コンタクト１４が前記ハウジング１２に完全に固定された際に、前記圧入部２８は前記ハウジング１２の被固定部１６に圧入され、前記係合部３０は前記被固定部１６に係止する構造になっている。また、前記圧入部２８と前記係合部３０は、図２のように、圧入方向から前記圧入部２８と前記係合部３０という順に配置し、それらは階段状になっている。前記圧入部２８と前記係合部３０の大きさは、上述のような役割が満足するように適宜設計するが、前記圧入部２８は０．０５〜０．１ｍｍ程度突出させている。理想的には、前記圧入部２８と前記係合部３０との差を０．０１〜０．０４ｍｍにしている。０．０１ｍｍ以下では保持力を上げることにはならず、０．０４ｍｍ以上では前記係合部が前記ハウジングの被固定部を通る際に前記ハウジングが割れてしまう。
【００１８】
前記コンタクト１４の接続部２６は、本実施例では表面実装（ＳＭＴ）タイプを図示したが、Ｌ形ディップタイプでもストレートディップタイプでもよい。
【００１９】
最後に、圧入の過程を説明すると、まず、前記コンタクト１４を前記ハウジング１２に基板接続部側（嵌合口の反対側）から挿入し、前記コンタクト１４の係合部３０が前記ハウジング１２の被固定部１６を通った後に、前記コンタクト１４の圧入部２８が前記ハウジング１２の被固定部１６に圧入されると同時に前記係合部３０が前記被固定部１６に係合することで、前記コンタクト１４が前記ハウジング１２に圧入された状態になる。
【００２０】
【発明の効果】
以上の説明から明らかなように、本発明のコネクタ１０によると、次のような優れた効果が得られる。
（１）前記コンタクト１４の固定部２４を圧入部２８と係合部３０で構成し、前記コンタクト１４が前記ハウジング１２に完全に固定された際に、前記圧入部２８は前記ハウジング１２の被固定部１６に圧入され、前記係合部３０は前記被固定部１６に係止されているので、コンタクト１４の圧入時に前記ハウジング１２の割れが発生することなく、前記ＦＰＣ若しくは前記ＦＦＣを挿入した時のコジリに対しても前記コンタクト１４や前記ハウジング１２が変形することなく、安定した１Ｎ／ｐｉｎの保持力を確保することができるコネクタ１０を提供できる。
（２）前記コンタクト１４の前記固定部２４を前記圧入部２８と前記係合部３０とで構成し、圧入方向から前記圧入部２８と前記係合部３０という順に配置し、それらを階段状にしているので、確実に１Ｎ／ｐｉｎの保持力を確保でき、圧入時に前記ハウジング１２が割れることがなく、前記ＦＰＣ若しくは前記ＦＦＣを挿入した時のコジリに対しても前記コンタクト１４や前記ハウジング１２が変形することがない。
（３）前記ハウジング１２にじん性のある材料を使用しているので、前記コンタクト１４の係合部３０が前記ハウジング１２の被固定部１６を通った後、復元するために前記コンタクト１４の圧入部２８が前記ハウジング１２の被固定部１６に確実に圧入することができる。
（４）前記コンタクト１４の固定部２４を圧入部２８と係合部３０で構成し、前記コンタクト１４が前記ハウジング１２に完全に固定された際に、前記圧入部２８は前記ハウジング１２の被固定部１６に圧入され、前記係合部３０は前記被固定部１６に係止されているので、前記ＦＰＣ若しくは前記ＦＦＣを挿入した時のコジリに対して最も弱い基板に垂直に固定する垂直タイプのコネクタでも、前記コンタクト１４や前記ハウジング１２が変形することなく、安定した１Ｎ／ｐｉｎの保持力を確保することができる。
（５）前記コンタクト１４の前記圧入部２８と前記係合部３０との差を０．０１〜０．０４ｍｍにしているので、前記コンタクト１４の係合部３０が前記ハウジング１２の被固定部１６を通った後、復元するために前記コンタクト１４の圧入部２８が前記ハウジング１２の被固定部１６に確実に圧入することができ、前記ＦＰＣ若しくは前記ＦＦＣを挿入した時のコジリに対しても前記コンタクト１４や前記ハウジング１２が変形することない安定した１Ｎ／ｐｉｎの保持力を確保することができる。
【図面の簡単な説明】
【図１】嵌合口側からみた本発明のコネクタの斜視図である。
【図２】あるコンタクトの中心で断面したコネクタの断面図である。
【符号の説明】
１０              コネクタ
１２              ハウジング
１４              コンタクト
１６              被固定部
１８              嵌合口
２０              挿入孔
２２              接触部
２４              固定部
２６              接続部
２８              圧入部
３０              係合部
３２              補強部
【図１】
2004172039.tif 000003
【図２】
2004172039.tif 000004